(57)【要約】【課題】トランクルームの荷室空間を大きく確保するとともに、車両重量割合を良好に保つことができる自動車を提供すること。【解決手段】自動車１において、車両の両側の前後に設けられた複数のドアのうちの各前側ドアの窓の下縁部と車両の前部とを略同一高さとし、エンジン１４を、車両側面視で前輪と重なる高さ位置に、その長手方向を車両の前後方向に対して直交する方向に向けた状態で配置し、前部シート１５をベンチタイプのシートで構成するとともに、該前部シート１５の背もたれ部の上部を車両側面視で前側ドアと後ろ側ドアとの境界に位置させ、前輪と前部シート１５との距離を後部シート３と後輪との距離よりも長くして前部シート１５を前輪と後輪の中間位置に近づけ、燃料２を、前側ドアの間の前部シート１５の下方の空間に、その長手方向が車両の前後方向に対して直交する方向に向けて搭載する。【選択図】図９
2006306400.tif 000002
【特許請求の範囲】
【請求項１】
車両前部にエンジンを搭載し、荷室の前方であって該荷室と繋がる空間に前部シートと後部シートを車両の前後方向に並べて配置して成る自動車において、
車両の両側の前後に設けられた複数のドアのうちの各前側ドアの窓の下縁部と車両の前部とを略同一高さとし、
前記エンジンを、車両側面視で前輪と重なる高さ位置に、その長手方向を車両の前後方向に対して直交する方向に向けた状態で配置し、
前記前部シートをベンチタイプのシートで構成するとともに、該前部シートの背もたれ部の上部を車両側面視で前記前側ドアと後ろ側ドアとの境界に位置させ、前記前輪と前部シートとの距離を前記後部シートと後輪との距離よりも長くして前部シートを前輪と後輪の中間位置に近づけ、
燃料を、車両の両側に設けられた前側ドアの間の前記前部シートの下方の空間に、その長手方向が車両の前後方向に対して直交する方向に向けて搭載したことを特徴とする自動車。
【請求項２】
車両側面視で前記前部シートの背もたれ部の上端部とヘッドレストを前記前側ドアの窓の下縁部よりも上方に位置させるとともに、該前部シートの座部を前記前輪の上端部と略同じ高さ位置に配置したことを特徴とする請求項１記載の自動車。
【請求項３】
車両側面視で前記後部シートの座部を前記後輪の上端部よりも上方に配置するとともに、該後部シートの背もたれ部を倒すことによって、その上方に拡大された荷室空間を形成することを特徴とする請求項１又は２記載の自動車。
【発明の詳細な説明】
【技術分野】
【０００１】
本発明は、液化天然ガス（ＬＮＧ）や圧縮天然ガス（ＣＮＧ）等の気体燃料を充填した燃料ボンベを車両のシートの下部に配置した気体燃料自動車等の自動車に関するものである。
【背景技術】
【０００２】
例えば、上記液化然ガス（ＬＮＧ）や圧縮天然ガス（ＣＮＧ）等の気体燃料によって走行する気体燃料自動車における燃料ボンベの搭載位置は、従来設置されていた燃料タンクの取付位置か、又はトランクルーム（荷室）内に設けられていた。この場合、燃料ボンベはその軸線が車幅方向に沿うように配置されていた。
【０００３】
尚、自動車の燃料ボンベ支持構造として、特許文献１に開示されているものがある。この特許文献１には、燃料ガスを加圧して貯える円筒形状をなす燃料ボンベを車幅方向に指向させてリアシートバックの後方に配置し、燃料ボンベの下側は左右一対のサイド支持フレームにより支持され、前後方向はフロント支持フレーム、リア支持フレ−ム及び２本の固定ベルトによって支持されたものが開示されている。
【特許文献１】特開平９−２９０６４７号公報
【発明の開示】
【発明が解決しようとする課題】
【０００４】
しかしながら、燃料ボンベをトランクルーム内に配置した場合は、トランクルーム内の空間が小さくなり、本来の荷物を積むという利便性が損なわれるという問題があった。又、燃料ボンベをトランクルーム内に配置する場合や、従来の燃料タンクの取付位置に配置する場合においては、車幅によって燃料ボンベの長さが規制されてしまい、容量確保の妨げとなっていた。
【０００５】
更に、燃料ボンベを車両後部に配置することによって車両重量割合が悪くなるという問題もあった。
【０００６】
尚、特許文献１に開示されている自動車の燃料ボンベ支持構造では、燃料ボンベがリアシートバックの後方に配置されているのでトランクルームの空間が小さくなる虞がある。
【０００７】
本発明は上記問題に鑑みてなされたもので、その目的とする処は、トランクルームの荷室空間を大きく確保するとともに、車両重量割合を良好に保つことができる自動車を提供することにある。
【課題を解決するための手段】
【０００８】
上記目的を達成するため、請求項１記載の発明は、車両前部にエンジンを搭載し、荷室の前方であって該荷室と繋がる空間に前部シートと後部シートを車両の前後方向に並べて配置して成る自動車において、
車両の両側の前後に設けられた複数のドアのうちの各前側ドアの窓の下縁部と車両の前部とを略同一高さとし、
前記エンジンを、車両側面視で前輪と重なる高さ位置に、その長手方向を車両の前後方向に対して直交する方向に向けた状態で配置し、
前記前部シートをベンチタイプのシートで構成するとともに、該前部シートの背もたれ部の上部を車両側面視で前記前側ドアと後ろ側ドアとの境界に位置させ、前記前輪と前部シートとの距離を前記後部シートと後輪との距離よりも長くして前部シートを前輪と後輪の中間位置に近づけ、
燃料を、車両の両側に設けられた前側ドアの間の前記前部シートの下方の空間に、その長手方向が車両の前後方向に対して直交する方向に向けて搭載したことを特徴とする。
【０００９】
請求項２記載の発明は、請求項１記載の発明において、車両側面視で前記前部シートの背もたれ部の上端部とヘッドレストを前記前側ドアの窓の下縁部よりも上方に位置させるとともに、該前部シートの座部を前記前輪の上端部と略同じ高さ位置に配置したことを特徴とする。
【００１０】
請求項３記載の発明は、請求項１又は２記載の発明において、車両側面視で前記後部シートの座部を前記後輪の上端部よりも上方に配置するとともに、該後部シートの背もたれ部を倒すことによって、その上方に拡大された荷室空間を形成することを特徴とする。
【発明の効果】
【００１１】
本発明によれば、荷室空間が燃料の搭載によって制限されることがなく、トランクルームの荷室空間を大きく確保することができる。
【００１２】
又、車両重量割合が良好に保たれる。
【発明を実施するための最良の形態】
【００１３】
以下に本発明の参考例を図１〜図８に基づいて説明する。
【００１４】
図１乃至図３において、符号１で示すものは、車両に搭載された燃料ボンベ２に液化天然ガス（ＬＮＧ）又は圧縮天然ガス（ＣＮＧ）等の気体燃料を充填し、この気体燃料で走行する４〜６人乗りのミニバスタイプの気体燃料自動車である。この気体燃料自動車１の場合は、後部シート３の配置を変更することによって生じる空間に燃料ボンベ２を配置している。燃料ボンベ２は通常の液体燃料タンクのように車体に固定されており、この燃料ボンベ２に前記ガス等の燃料を充填する。
【００１５】
図１乃至図３に示す気体燃料自動車１は、二つの後部シート３を車両の前後方向に平行に、且つ、背もたれ部３ａが互いに向き合うようにフロアパネル４に配設されたものである。このような後部シート３の下部に気体燃料を充填した燃料ボンベ２を配置している。燃料ボンベ２は、該燃料ボンベ２の軸線が車両の前後方向に向くように後部シート３の下部に夫々一本ずつ配置されている。従って、左右二本の燃料ボンベ２は互いに平行に配設されていることになる。
【００１６】
上記燃料ボンベ２の取り付けを図１乃至図に基づいて説明する。
【００１７】
気体燃料自動車１のフロアパネル４の後部両側には夫々、図２及び図３に示すように、一対のブラケット５が車両の前後方向に沿って取り付けられている。一対のブラケット５には、燃料ボンベ２のガス取出口２ａ側及び底部２ｂ側の二個所を下部より保持する半割の保持ブラケット６が配置されている（図３参照）。
【００１８】
この保持ブラケット６に燃料ボンベ２を横にして載置し、その上側より保持ブラケット６に対応する半割の押えブラケット７を配設し、これら押えブラケット７、保持ブラケット６及びブラケット５をボルト（図示なし）によって一体に螺合し、燃料ボンベ２を堅固に固定している。このように固定した燃料ボンベ２の上部にはカバー８が配置されて燃料ボンベ２が保護されている。
【００１９】
又、図２に示すように、左右二本の燃料ボンベの燃料ボンベ２のガス取出口２ａには燃料パイプ９の一側が夫々接続されており、燃料パイプ９の他側はカット−オフバルブ１０に接続されている。カット−オフバルブ１０の出口に一側が接続された燃料パイプ１１の他側は、フィルタ１２及びレギュレータ１３を介してエンジン１４に接続されている。これによって、エンジン１４に気体燃料が供給される。尚、図１及び図２において、符号１５で示すものは前部シートである。
【００２０】
本発明の参考例では、以上説明したように、二つの後部シート３を車両の前後方向に平行に配設し、この後部シート３の夫々の下部に燃料ボンベ２を、その軸線が車両の前後方向に向くように配置したことにより、燃料ボンベ２が車幅による制約を受けることがなく、燃料ボンベ２の長さをシート長さ（座席の略横幅長さ）に設定することができる。このように後部シート３を車両の左右に分けて配置し、その下部に燃料ボンベ２を配置すれば、車両の左右に燃料ボンベ２を分けて配置することができ、車両の左右の重量バランスを取ることができる。又、車両前部に搭載したエンジン、トランスミッションの重量物に対して、車両の中央部近傍から後方にかけて燃料ボンベ２を配置したので、車両前後の重量割合をも改善することができる。
【００２１】
又、荷室を確保する際には、図４に示すように、燃料ボンベ２を後部シート３の下部に配置したことにより生じる段差部分の空間１６に、取り外したヘッドレスト３ｂを収容し、背もたれ部３ａを座部３ｃ側に倒すことにより、車両の後部側にフラットな荷室を形成することができる。
【００２２】
更に、図５に示すように、段差部分の空間１６に後部シート３の座部３ｃを押し下げて収容し、背もたれ部３ａを座部３ｃとは反対側に倒すことにより、車両後部側にフラットな荷室を形成することができる。この場合、取り外したヘッドレスト３ｂは段差部分の空間１６の、座部３ｃの収容部位よりも前側に配置する。しかし、後部シート３を乗員席（４〜６人用の席）とした場合は、上記荷室としての空間を設けることはできない。尚、図５において、符号１７で示すものは背もたれ部３ａと座部３ｃとを連結するヒンジであり、符号１８はシート３を二分割するために必要なリンク部材である。
【００２３】
図６及び図７は本発明の参考例の他の例の概略を示したものである。
【００２４】
この参考例では、三列シートの車両、即ち、全シートを車両の前後方向に対して直交して配設し、且つ、後側の二列（二列目、三列目）のシート３，３の背もたれ部３ａを背中合わせにし、この後側二列のシート３，３の下部に燃料ボンベ２を配置したものである。燃料ボンベ２は、その軸線が車両の前後方向に対して直交するように後部シート３の下部に夫々一本ずつ配置されている。この燃料ボンベ２の取り付け方は、前述の参考例と略同様なので説明を省略する。尚、図６においては、三列目の後部シート３を支持する一対のブラケット５の後側のものは見えていない。
【００２５】
このように後部シート３の下部に燃料ボンベ２を配置することにより生じる段差部分（高さ分）を平均的な搭乗者の膝の高さに合わせるようにする。そして、図８に示すように、後部シート３の背もたれ部３ａを座部３ｃ側に倒して燃料ボンベ２の略段差部分に背もたれ部３ａを収めるようにすれば、フラットな荷室を確保することができる。尚、二列目の後部シート３のヘッドレスト３ｂは取り外して足下の段差部分の空間１６に収容する。作用は前述の参考例と略同様なので説明を省略する。
【００２６】
次に、本発明の実施の形態を図９及び図１０に基づいて説明する。
【００２７】
図９及び図１０は本発明の実施の形態の概略を示したものである。この実施の形態は、燃料ボンベ２を前部シート１５の下部に配置したものである。この場合、燃料ボンベ２は、その軸線が車両の前後方向に対して直交するように配置する。このように燃料ボンベ２を前部シート１５の下部に配置する場合は、前部シート１５はバケットタイプのものよりベンチタイプの方が適している。
【００２８】
上記燃料ボンベ２の取り付け方について説明する。
【００２９】
フロアパネル４には燃料ボンベ２のガス取出口２ａ側及び底部２ｂ側の二個所を保持する一対の保持ブラケット１９を立設し（図９参照）、その上に燃料ボンベ２を横にして載置し、この燃料ボンベ２を押さえるように前記保持ブラケット１９に対応する押えブラケット７を取り付け、これら押えブラケット７、燃料ボンベ２及び保持ブラケット１９をボルトによって一体に固定して（ボルト取付位置２０参照）燃料ボンベ２を堅固に保持する。作用は最初の参考例と略同じなので説明を省略する。
【図面の簡単な説明】
【００３０】
【図１】本発明の参考例の要部を概略的に示した一部切欠き側面図である。
【図２】図１に示す車両のル−フ部分を取り除いた上面図である。
【図３】図２に示すものを右側から見た一部切欠き側面図である。
【図４】図３のものの後部シートを折り畳んだ状態を示す一部切欠き図である。
【図５】図４のものの段差部分に座部を折り畳んだ状態を示す一部切欠き図である。
【図６】本発明の他の参考例を示す一部切欠き図である。
【図７】図６に示す車両のルーフ部分を取り除いた上面図である。
【図８】図６に示すものを右側から見た一部切欠き図である。
【図９】本発明の実施の形態を示す一部切欠き図である。
【図１０】図９に示す車両のルーフ部分を取り除いた上面図である。
【符号の説明】
【００３１】
１      気体燃料自動車（自動車）
２      燃料ボンベ
３      後部シート
１４    エンジン
１５    前部シート
【図１】
2006306400.tif 000003
【図２】
2006306400.tif 000004
【図３】
2006306400.tif 000005
【図４】
2006306400.tif 000006
【図５】
2006306400.tif 000007
【図６】
2006306400.tif 000008
【図７】
2006306400.tif 000009
【図８】
2006306400.tif 000010
【図９】
2006306400.tif 000011
【図１０】
2006306400.tif 000012